(57)【要約】 【課題】  飼育箱用設置槽の外堀に貯水して蟻が進入するのを阻止し、地蜂飼育箱の餌置き台に置いた餌を地蜂に採らせて巣を能率よく作らせる。【解決手段】  上面を開口し、地蜂飼育箱Ｂを１又は複数個載置できる床面２を有する箱体１で、その外周壁３には蟻の進入を防ぐための上面を開口した貯水用外堀４を形成した地蜂飼育箱用設置槽と、それに餌置き台を設けた１又は複数個の地蜂飼育箱Ｂを設置する地蜂飼育装置である。【選択図】    図３
2005192499.tif 000002
【特許請求の範囲】
【請求項１】
上面を開口し、地蜂飼育箱を１又は複数個載置できる床面を有する箱体で、その外周壁には蟻の進入を防ぐための上面を開口した貯水用外堀を形成したことを特徴とする地蜂飼育箱用設置槽。
【請求項２】
前記外堀は、箱体の外周壁の外側周囲で床面より下方に形成したものである請求項１に記載の地蜂飼育箱用設置槽。
【請求項３】
前記外堀は、箱体の外周壁の外側周囲で床面より上方で飼育箱の蜂の出入口より下方に形成したものである請求項１に記載の地蜂飼育箱用設置槽。
【請求項４】
前記箱体の外周壁には、床面に溜まる小水を外堀へ排出しうる排水口を設けた請求項１又は２に記載の地蜂飼育箱用設置槽。
【請求項５】
前記箱体の外周壁又は床面に小水を排出する排水口を設け、栓を脱着可能に備えた請求項１ないし３に記載の地蜂飼育箱用設置槽。
【請求項６】
前記請求項１ないし５のいずれかに記載の飼育箱用設置槽内には、地蜂の出入口を有し、該出入口の前に餌置き台を設けた１又は複数個の地蜂飼育箱が備えられることを特徴とする地蜂飼育装置。
【請求項７】
前記餌置き台は、その上面に餌を採るための蜂の踏み台を有する請求項６に記載の地蜂飼育装置。
【請求項８】
前記地蜂飼育箱用設置槽と飼育箱の周囲との間、又は／および飼育箱同士の間の間隔には、発泡スチロール、砂等の断熱材を備えた請求項６又は７のいずれかに記載の地蜂飼育装置。
【発明の詳細な説明】
【技術分野】
【０００１】
この発明は、蟻による被害を防ぐために蟻の進入を防御する水を入れる外堀を設けて地蜂飼育箱を設置する地蜂飼育箱用設置槽および地蜂飼育装置に関する。
【背景技術】
【０００２】
従来、地蜂（スズメ蜂科の蜂で、体長約１．０ｃｍ〜１．５ｃｍ程度、この地蜂のことを通称、ヘボという）の飼育は、岐阜県東濃地方から愛知県三河山間部、長野県木曽、伊那地方等で地蜂を飼育して巣を大きくすることが盛んに行われている。この地蜂の巣は大きいものほど幼虫、さなぎが多く、これを食用として愛好されている。
飼育の方法としては、地蜂が畑、山野等の土の中に作っている湯飲み程度の大きさの巣を７月初旬に堀り出して、この巣を出入口の有る飼育箱、或いは缶等の中に赤土を入れて植え付け、これを土の中に埋めて飼育するのが通常であったが、近ごろは地蜂を飼育する箱を地上に置いたままで、なおかつ地蜂が箱の中の土を運び出す労力をなくさせることで巣を大きくすること、秋に箱の中にできた巣を取り出す時、土などが混入せずきれいに取り出すことができるようにするために箱の中は土などを入れずに空のまま飼育することが多くなって来ています。
しかし、飼育箱に直接餌を置くと赤蟻が餌を求めて上がって来るので、従来は餌は箱より離した処に置いている。すなわち、地蜂に与える餌とする鶏レバー、魚などの食物や砂糖水は赤蟻が上がって来ないように飼育箱より少し離れた処に針金又は芋蔓等紐を張り渡してそれに鶏レバー、魚などの食物を吊り下げたりして、地蜂に餌を与えるのが通常の方法とされている。
【発明の開示】
【発明が解決しようとする課題】
【０００３】
従来の地蜂飼育箱では、赤蟻が餌を求めて上がって来るので直接餌を置くことができず、飼育箱から離れた箇所に餌を吊すので、地蜂は餌の処まで飛び立たなければならず、能率が悪いために巣を大きくできなかった。また、餌、特に砂糖水を入れた容器に蟻が来ないようにするのに例えば殺虫剤をまくなどしなければならないなどの問題があった。
この発明は、前記した問題点を解決するようにしたもので、蟻の進入を阻止するために水を貯水する外堀を設けた飼育箱用設置槽を提供することを目的とする。また、その飼育箱用設置槽に餌置き台付きの飼育箱を置き、地蜂に餌置き台に置いた餌を採らせて巣へ運ばせて飼育ができるようにした地蜂飼育装置を提供することを目的とする。
【課題を解決するための手段】
【０００４】
この発明の請求項１の地蜂飼育箱用設置槽は、上面を開口し、地蜂飼育箱を１又は複数個載置できる床面を有する箱体で、その外周壁には蟻の進入を防ぐための上面を開口した貯水用外堀を形成したことを特徴とする。
【０００５】
この発明の請求項２の地蜂飼育箱用設置槽は、請求項１において、前記外堀は、箱体の外周壁の外側周囲で床面より下方に形成したものである。
【０００６】
この発明の請求項３の地蜂飼育箱用設置槽は、請求項１において、前記外堀は、箱体の外周壁の外側周囲で床面より上方で飼育箱の蜂の出入口より下方に形成したものである。
【０００７】
この発明の請求項４の地蜂飼育箱用設置槽は、請求項１又は２において、前記箱体の外周壁には、床面に溜まる小水を外堀へ排出しうる排水口を設けたことを特徴とする。
この発明の請求項５の地蜂飼育箱用設置槽は、請求項１ないし３において、前記箱体の外周壁又は床面に小水を排出する排水口を設け、栓を脱着可能に備えたことを特徴とする。
【０００８】
この発明の請求項６の地蜂飼育装置は、前記請求項１ないし５のいずれかに記載の飼育箱用設置槽内に、地蜂の出入口を有し、該出入口の前に餌置き台を設けた１又は複数個の地蜂飼育箱が備えられることを特徴とする。
【０００９】
この発明の請求項７の地蜂飼育装置は、請求項６において、 前記餌置き台は、その上面に餌を採るための蜂の踏み台を有することを特徴とする。
【００１０】
この発明の請求項８の地蜂飼育装置は、請求項６又は７のいずれかにおいて、前記地蜂飼育箱用設置槽と飼育箱の周囲との間、又は／および飼育箱同士の間の間隔には、発泡スチロール、砂等の断熱材を備えたことを特徴とする。
【００１１】
前記したこの発明の地蜂飼育箱用設置槽の構成によれば、地面に置く、或いは地面に埋設するなどして設置するときに、槽の周囲の外堀に蟻の進入を防ぐために貯水するので、その床面に設置する地蜂飼育箱に蟻が登ることを阻止できる。この地蜂飼育箱用設置槽は外堀が地面より露出した状態で埋設して設置するか、或いは地面等に置き、その設置槽に適宜地蜂飼育箱を設置して使用する。
【００１２】
前記したこの発明の地蜂飼育装置の構成によれば、地蜂飼育箱用設置槽の内部に、出入口の前に餌置き台を設けた１又は複数の地蜂飼育箱を設置し、その槽の外堀に水を貯水し、蟻が餌を求めて進入するのを阻止でき、餌置き台に地蜂の餌である鶏レバー、魚などと、容器に入れた砂糖水を置いて地蜂が出入口の前で巣から飛び立つことなく餌を採って巣に運ばせることができる。
また、前記地蜂飼育箱用設置槽と飼育箱の周囲との間、又は／および飼育箱同士の間の間隔に、発泡スチロール、砂等の断熱材を備えることにより飼育箱の内部の温度が上がるのを防ぐ。
【発明の効果】
【００１３】
この発明の地蜂飼育箱用設置槽によれば、地蜂飼育箱を囲む外堀に水を貯水するので、槽内に蟻が進入することを防ぐことができる。従って、その設置槽内に設置する飼育箱の餌置き台に直接餌をおいても蟻による被害なく、地蜂に餌を採らせ巣の幼虫等に運ばせることができ、蜂の巣を短期間で大きくすることができる。
また、設置槽の外堀は、箱体の外周壁で床面より下方或いは上方に設け、使用場所或いは使用の仕方に対応させることができる。さらに、設置槽に蜂の小水を排出する排水口を設ければ、小水を排出できて飼育箱内の湿気を防ぎ、コンディションを良い状態に保って巣にカビを生じることを防ぐことができる。
【００１４】
この発明の地蜂飼育装置によれば、前記設置槽に１又は複数の地蜂飼育箱を設置する場合、飼育箱を囲む貯水用外堀に貯水するので、出入口の前の餌置き台に餌を置くも、蟻が餌を求めて進入するのを防ぐことができ、蟻による被害が無く、また地蜂は巣から飛び立つことなく餌置き台に置いた餌を採って飼育箱内の巣の幼虫に運ぶことができるので、能率的で、巣を短期間で大きくすることができる。また、飼育箱の餌置き台には餌を採るための踏み台を設ければ、蜂が容器に登る労力を使うことなく、踏み台の上から餌置き台に置いた容器の砂糖水、鶏のレバー等を採りやすく、その分早く餌を早く運ばせて巣を大きくすることができる。
【００１５】
この発明の地蜂飼育装置によれば、前記地蜂飼育箱用設置槽と飼育箱の周囲との間、又は／および飼育箱同士の間の間隔に発泡スチロール、砂等の断熱材を装填することにより断熱の効果があり、暑さをきらう地蜂が夏の暑さに影響されずに餌を採らせて巣に運ばせ、巣を大きくできる。
【発明を実施するための最良の形態】
【００１６】
この発明の地蜂飼育箱用設置槽の実施形態を図面に基づいて説明する。
図１はこの発明の飼育箱用設置槽の一部破断正面図、図２は同平面図、図３はこの発明の飼育箱用設置槽に飼育箱を設置した地蜂飼育装置を示す断面図、図４は同一部破断側面図、図５は飼育箱用設置槽を土壌に埋設し、飼育箱に飼育すべき巣を入れた状態の地蜂飼育装置を示す一部破断側面図、図６は同飼育箱の蜂の巣が大きくなった状態の地蜂飼育装置を示す一部破断側面図、図７は同地蜂飼育装置の一部破断正面図、図８は飼育箱の横断面図、図９は別の飼育箱用設置槽を示す一部破断正面図、図１０は同平面図、図１１は飼育箱用設置槽に地蜂飼育箱を複数設置した状態の断面図、図１２は地蜂飼育装置を土壌に埋設し、飼育箱を設置した状態の一部破断正面図である。
【００１７】
図１ないし図７にこの発明の地蜂飼育箱用設置槽Ａを示す。飼育箱用設置槽Ａは、上面を開口し、前記飼育箱Ｂを１又は複数個載置できる床面２を有する合成樹脂製等箱体１で、その外周壁３に蟻の進入を防ぐための上面を開口した貯水用外堀４が形成されたものである。箱体１の外周壁３の高さは、蜂の出入りの妨げとならないように床面に置く飼育箱Ｂの出入口１１よりは下までの高さとするのが好ましい。箱体１の周囲の外周壁３に設ける貯水用外堀４は所定量の水Ｍを貯水する断面コ字型の溝孔としてある。この貯水用外堀４の上面開口は、少なくとも蟻が渡れない幅が必要であり、外堀４の深さは、少なくとも蟻が外堀内に入ったとき貯水Ｍに沈む深さが必要である。貯水用外堀４には、水Ｍを入れる手段として、例えば、外堀４の上方に水を入れる蛇口５を臨ませて備え、蛇口５より外堀４に水Ｍを入れて所要量貯水する。貯水用外堀４に水を入れる手段は上記のものに限られるものではない。地蜂飼育箱用設置槽Ａの大きさは、１又は複数個の飼育箱Ｂを置くときに、飼育箱と外周壁３との間に任意の間隔２５をおき、また飼育箱は同士の間にも任意の間隔２５をおいて置くことができる広さとする。なお、箱体１の外周壁３の高さは、飼育箱Ｂの出入口１１の下までが好ましいが、飼育箱と設置槽の外周壁との間隔が広ければ、設置槽の箱体１の高さが飼育箱Ｂの高さより高くとも蜂の出入りはできる。
図１ないし図５の飼育箱用設置槽Ａは１つの飼育箱Ｂを置く場合で、四角形の箱体としてある。
図９ないし図１２の飼育箱用設置槽Ａは、別の実施形態で、３個の飼育箱Ｂを間隔をおいて一列に設置できる長方形の箱体としてある。設置槽Ａは上記のものに限られるものではなく、例えば、飼育箱Ｂを複数列に配置できるようにしてもよい。地蜂は通常畑などの土壌の中に巣を作る。巣は土壌の中であるから暑さを凌ぐことができる。そこで、この発明の飼育箱用設置槽も設置する場合には、土壌に下部を埋設して設置するのが好ましい。また、土壌に設置する飼育用設置槽Ａは、その設置槽の全体より大きい屋根の建造物等で囲い、設置槽Ａの中に雨が入らないようにする。
【００１８】
図１および図２に示す飼育箱用設置槽Ａは、前記外堀４が箱体１の外周壁３の外側周囲で床面２より下方に一体に形成されている。箱体１の外周壁３の高さは、蜂の出入りを妨げないように床面２に置く飼育箱Ｂの蜂の出入口１１、餌置き台１２より若干低い高さとしてある。外周壁の外周に、上面が床面２より若干下方になるように外堀４が一体形成されている。
そして、該箱体１の外周壁３には、床面２に溜まる地蜂が排泄する小水（小便）を外堀へ排出しうる１又は複数の排水口９が設けられ、排水口９を通じて床面より低い位置の前記外堀４に小水を排出できるようにして、飼育箱内のコンディションを良好に保ち、飼育箱内の巣に湿気でカビが生えるのを防止する。この実施形態の構造では、排水口からの排水は外堀に排出される。外堀を蟻が渡ることができないので、外堀の内側の槽の排水口は栓等で塞がなくともよい。
図５に示すこの飼育箱用設置槽Ａを土壌８にあけた穴に設置する場合を説明する。飼育箱用設置槽Ａの床面２の下面の外堀４で囲まれた空洞部６には、土８の上に外堀４の深さにほぼ相当する大きさの１又は複数個のブロック７、角材等を置いて設置槽Ａを載置し、その設置槽の外堀４の外側を土８に埋設して設置される。
【００１９】
図９および図１０に示す別の実施形態の飼育箱用設置槽Ａは、その外堀４が箱体の外周壁３の外側で床面２より上方で飼育箱Ｂの蜂の出入口１１より下方に一体に形成されている。箱体１の外周壁３の高さは、前記実施形態と同様に、床面２に置く飼育箱Ｂの蜂の出入口１１、餌置き台１２より若干低い高さとしてある。箱体１の外周壁の上端外周に外堀４が一体形成されている。
そして、該箱体１の床面２、或いは外周壁３には、床面２に溜まる地蜂の小水を地面に排出しうる１又は複数の排水口９が設けられ、排水口９を通じて小水を排出できるようにして、飼育箱内の湿気を防ぎ、コンディションを良好に保ち、飼育箱内の巣に湿気でカビが生えるのを防止する。なお、上記２つの実施形態では、上記外堀４は箱体１の外側に一体に形成した場合を示したが、これに限られるものではなく、別体のＵ字溝、コ字型溝を箱体の外側に取り付けてもよく、また、外堀を箱体の外側周囲に設けたが、内側周囲に設けることもできる。
図９、図１０の設置槽Ａの箱体１の外周壁又は床面に小水を排出する排水口９を設ける場合、箱体１の外周壁又は床面を土壌に直接載せるか埋設するので、排水の際以外は蟻が箱体内に入らないように、排水口９に栓１０をして塞ぐ必要がある。前記排水口９には栓１０が脱着可能に備えられ、床面に小水が溜まった場合に、栓１０を外して排水口９を通じて小水を地面等に排出し、飼育箱内の巣に湿気でカビが生えるのを防止する。
図１２においてこの飼育箱用設置槽Ａを土壌に設置する場合を説明する。飼育箱用設置槽Ａの床面２が土８の上に設置される。設置槽Ａの箱体１の外周壁３の中間部或いは外堀まで埋設して設置することもできる。
【００２０】
図３ないし図７に示すこの発明の地蜂飼育装置について説明する。この発明の地蜂飼育装置は、前記した飼育箱用設置槽Ａに地蜂Ｄの出入口１１を有し、該出入口１１の前に餌置き台１２を設けた１又は複数個の地蜂飼育箱Ｂを設置したものである。この飼育箱用設置槽Ａは、上面を開口し、前記飼育箱を１又は複数個載置できる床面２を有する箱体１で、その外周壁３に蟻の進入を防ぐための上面を開口した貯水用外堀４が形成されている。また、地蜂飼育箱Ｂの餌置き台１２は、地蜂の出入口１１の前に設けられる。
【００２１】
図３ないし図７、図１１および図１２に示すように、この発明の前記設置槽Ａに置く地蜂を飼育するための飼育箱Ｂは、木製、合成樹脂製等の箱体で、少なくとも地蜂の飼育により地蜂が巣を大きくするために必要な広さと高さで、前面には地蜂Ｄが通ることができる出入口１１が設けられ、出入口１１の前に餌置き台１２が設けられている。実施形態の飼育箱は底なしとしてある。飼育箱Ｂの大きさは、例えば平面の一辺が約３０〜５０ｃｍの四角形とされる。この飼育箱Ｂ内に７〜８月に畑、山野で取った地蜂の巣Ｃと地蜂を入れて植え付ける。
この地蜂の出入口１１は、地面に巣を作る場合の出入口と同じような長いトンネル状とするのが好ましい。実施形態では、出入口１１にトンネル状通路１１ａが設けてある。
餌置き台１２は出入口１１の直ぐ下に水平に設置されている。１２ａは餌置き台１２を支える支持板である。餌置き台１２の広さは、地蜂の餌とする鶏のレバー（肝臓）、魚、蛙などの食物１４を載せる皿等容器１６と、砂糖水１５を入れた皿等容器１７を置き、地蜂Ｄが出入口１１より歩いて来てその餌を採ることができる広さとする。
餌置き台１２を出入口１１の直ぐ前に設けることにより、地蜂は飛ばなくても餌を採って巣に能率的に運ぶことができ、巣Ｃを短期間で大きくすることができる。
この構造の装置で、地蜂を飼育したところ、巣Ｃの大きさが従来より大きくなった。
【００２２】
前記餌置き台１２には、その上面に餌を採るための蜂の踏み台１３を設ける。この蜂の踏み台１３は、皿の高さに略相当する厚みで、餌置き台より小さくして、餌置き台に容器１６、１７を載せるためのスペースをあけ、飼育箱Ｂの出入口１１の前の餌置き台１２の上面に重ねて設け、出入口から出た地蜂が踏み台１３に乗って容器１６に入れた食物１４、或いは容器１７に入れた砂糖水１５を採ることができるようにする（図８参照）。この踏み台を設けないと、蜂は餌置き台の上に置いた容器に登らなければ砂糖水を飲むことができず、小さい地蜂が容器の上に登ることは容易でないが、餌置き台１２に容器と略同じ高さの踏み台を設けることにより、蜂は容器に登る労力を使うことなく、踏み台の上から直接或いは容器の上に乗り容器に入れた砂糖水を飲むことができるので便利となり、砂糖水を採って運ぶのが早くなり、その分巣を早く大きくできる。食物を入れた容器の方も同様に台上より直接、或いは容器に入って食物を食べさせることができて、その分巣を早く大きくできる。実施形態では、地蜂Ｄの大きさに近い、深さが約２ｃｍの浅い皿を餌置き台１２に置き、踏み台１３は約２ｃｍの高さとし、地蜂が踏み台１３の上に乗って、食物、砂糖水を採るようにしてある。また、地蜂の数が段々と増えると、砂糖水を飲む量も多くなり、毎日皿に何度も砂糖水を補給しなければならないので、砂糖水の皿、容器には砂糖水を補給する供給器（図示せず）を備えるのが好ましい。板体の餌置き台１２と板体の踏み台１３を重ねて設けて有るが、これに限られるものでなく、例えば、餌置き台に砂糖水を入れる凹部を形成するなどしてもよい。
【００２３】
この実施形態に示す飼育箱Ｂの内部には、出入口１１の上部に山から採って来る地蜂Ｄの巣を入れる箱２９を置き、かつ地蜂Ｄが出入りする開口１９を有する受け板２０が設けられ、かつ出入口１１のほぼ下面位置には地蜂Ｄを出入口に誘導し、かつ巣作りの邪魔となったとき地蜂が喰いちっぎって外部に持ち出しうるスチロール板等案内板２１が設けられる。箱２９の周りには赤土３０を入れて暑さを凌ぐことができるようにするのが好ましい。前記スチロール板２１には、地蜂が喰いちぎるとっかかりのための小さな穴２２が設けられる。この案内板２１が巣作りの邪魔になると地蜂が少しずつ喰いちっぎって外部に持ち出して巣作りをする。飼育箱の上部に屋根２３が設けられ、屋根２３は取外し可能として、巣Ｃを出し入れできるようにする。実施例では屋根としたが、蓋体としてもよい。飼育箱の巣を出し入れするのは、それに限られるものでなく、底から、或いは側面から取り出すようにもできる。
なお、実施形態では、設置槽と飼育箱を別体として、載置する場合を示したが、これに限られるものではなく、前記設置槽と飼育箱を一体形成したものとすることもできる。この場合巣の取り出しは上部に限られる。設置槽には、従来の餌置き台のない飼育箱でも設置することができる。また、飼育箱は底なしの場合で説明したが、底があるものでもよい。スチロール板等案内板２１はなくとも飼育できる。
【００２４】
地蜂は暑さをきらうので、飼育箱の断熱を施すことが好ましい。前記地蜂飼育箱用設置槽Ａと飼育箱Ｂの周囲との間、又は／および飼育箱同士の間の間隔２５には、発泡スチロール、砂等の断熱材２４を備える。図７および図１２に示すように、飼育箱Ｂの外周と前記設置槽Ａの外周壁３との間、飼育箱同士の間の間隔２５に発泡スチロール、砂等の断熱材２４を備えるようにする。断熱材２４による断熱の効果で地蜂が夏の暑さに影響されずに良く餌を食べるようにでき、巣を大きくできる。断熱材として、発泡スチロールを用いれば、自由に取り替えることができて便利である。なお、断熱材として、砂、土などを利用することもできる。
【００２５】
この発明の地蜂の餌置き台付き飼育箱Ｂを設置槽Ａに設置する場合について、説明すると、設置槽Ａの床面２の上に例えば、ブロック２７、角材等を間隔をおいて置き、その上に目すかし台２６等を置き、その上に砂、赤土等を混ぜた赤土２８を置き、その上に飼育箱Ｂを置いて、地蜂の小水を赤土、目すかし台を通じて下方に排水可能とする（図７および図１２参照）。前記目すかし台２６としては、例えば多数の小孔が開いた木製、合成樹脂製等板体等を用いるか、或いは複数の板材を隙間をおいて並べて置いてもよい。
図５に示すように、飼育箱Ｂの屋根２３を外して内部の受け板２０の上に山から採って来た地蜂の巣を地蜂Ｄとともに入れた箱２９を載せる。そして箱２９の周りに赤土３０を入れる。地蜂Ｄは餌置き台１２の餌を採って出入口１１から受け板２０の穴１９を通って上部の箱２９の巣Ｃの幼虫に運び、上部の箱２９の巣を大きくして受け板の下方に段々と作られ、スチロール板２１が巣作りの邪魔になるときは、地蜂がスチロール板を段々喰いちぎって、外に運び出して、巣Ｃを下方へ作らせることができる。地蜂Ｄを飼育することによりこの巣Ｃの径が大きくなり、巣Ｃの層（枚数）が段々と増加して飼育箱の内部に一杯となる。飼育箱の出入口の前の餌置き台に餌を置くので、蜂は飛び立つことなく歩いて踏み台から餌置き台の上の容器に入れた砂糖水、食物等の餌を採って速やかに巣Ｃへ運ばせることができるので、餌と巣とを通う蜂の運ぶ回数を増加でき、能率的として巣を短期間で大きくすることができる。地蜂を飼育して大きくした巣は飼育箱より取り出して例えば需要者に販売する。
飼育の際に出る地蜂の小水は赤土２８、目すかし台２６、ブロック２７の隙間を通じて槽の床面に流れ、外周壁３の排水口９より外堀又は地面等に排出される。従って、小水が溜まって湿気で巣にカビが生えると蜂が飼育するのを止めてしまい、蜂がいなくなるが、この構造とすることにより湿気で巣にカビが生えることを防ぐことができるので、蜂が飼育を止めるのを防ぎ、大きな巣を作らせることができる。
【００２６】
この発明の地蜂の餌置き台付き飼育箱Ｂと設置槽を使用し、飼育箱は、一辺を約３４ｃｍの四角形とし、設置槽Ａはそれより大きく、一辺を４５ｃｍの四角形とした場合で実験した。
実験例、
初夏に畑、山野で湯飲み程度の大きさで内部が三層くらいで、地蜂Ｄが約１０羽程度付いている巣を堀り出し、これを箱２９に入れ、飼育箱Ｂの受け板２０の上面におく（図５参照）。餌置き台に地蜂の餌として好適な鶏のレバー１４を載せた容器１６、砂糖水１５を入れた容器１７を置いた。
１０月の終わりに地蜂の数は多数羽に増え、巣Ｃは約１４層で飼育箱一杯にほぼ四角の巣となった（図６参照）。実験では約３４ｃｍ四角で、約１４層の巣Ｃとなり、その重さを量ると５キロ６００グラムという大きさになった。
従来の地蜂の飼育ではこのような大きな巣を作ることは難しいことであったが、この発明の地蜂の飼育装置によれば、地蜂に実験例のような大きさの巣を作らせることができる。
【００２７】
この発明は上記実施形態に限定されるものではなく、この発明の要旨を逸脱しない範囲で、種々の形態を実施しうるものである。
【図面の簡単な説明】
【００２８】
【図１】この発明の飼育箱用設置槽の一部破断正面図である。
【図２】同平面図である。
【図３】この発明の飼育箱用設置槽に飼育箱を設置した地蜂飼育装置を示す断面図である。
【図４】同一部破断側面図である。
【図５】飼育箱用設置槽を土壌に埋設し、飼育箱に飼育すべき巣を入れた状態の地蜂飼育装置を示す一部破断側面図である。
【図６】同飼育箱の蜂の巣が大きくなった状態の地蜂飼育装置を示す一部破断側面図である。
【図７】同地蜂飼育装置の一部破断正面図である。
【図８】飼育箱の断面図である。
【図９】別の飼育箱用設置槽を示す一部破断正面図である。
【図１０】同平面図である。
【図１１】飼育箱用設置槽に地蜂飼育箱を複数設置した状態の断面図である。
【図１２】地蜂飼育装置を土壌に埋設し、飼育箱を設置した状態の一部破断正面図である。
【符号の説明】
【００２９】
Ａ  飼育箱用設置槽
Ｂ  飼育箱
Ｃ  巣
Ｄ  地蜂
１  箱体
２  床面
３  外周壁
４  外堀
７  ブロック
８  土
９  排水口
１１  出入口
１２  餌置き台
１３  蜂の踏み台
１４  食物
１５  砂糖水
１６  容器
１７  容器
２４  断熱材
２５  間隔
２８  赤土
２７  ブロック
２９  箱
【図１】
2005192499.tif 000003
【図２】
2005192499.tif 000004
【図３】
2005192499.tif 000005
【図４】
2005192499.tif 000006
【図５】
2005192499.tif 000007
【図６】
2005192499.tif 000008
【図７】
2005192499.tif 000009
【図８】
2005192499.tif 000010
【図９】
2005192499.tif 000011
【図１０】
2005192499.tif 000012
【図１１】
2005192499.tif 000013
【図１２】
2005192499.tif 000014